(57)【特許請求の範囲】
【請求項１】
デッキ部の下面に、フォーク挿入孔に沿った複数のフォーク挿入方向リブと該フォーク挿入方向リブと直交する複数の桁間リブとが垂設されている合成樹脂製パレットにおいて、前記デッキ部の周部に一番接近している前記桁間リブと前記デッキ部の周部との間に、前記フォーク挿入孔に沿った相対する一対のフォーク挿入方向リブが、前記デッキ部の周部に一番接近している前記桁間リブと前記デッキ部の周部とを架橋するように形成されているとともに、前記相対する一対のフォーク挿入方向リブには、前記桁間リブに切り欠き凹部を形成することなく、且つ、前記相対する一対のフォーク挿入方向リブ間に挿入された緊諦バンドを越えて、下方に延在する膨出部が形成されていることを特徴とする合成樹脂製パレット。
【発明の詳細な説明】
【０００１】
【発明の属する技術分野】
本発明は、合成樹脂製パレットに関し、特に、合成樹脂製パレットに載置された荷物の荷崩れを防止するために、荷物に緊諦バンド掛けをすることが可能な合成樹脂製パレットに関するものである。
【０００２】
【従来の技術】
従来、合成樹脂製パレットのフォーク挿入孔に緊諦バンドを挿通し、該緊諦バンドにより、合成樹脂製パレットに載置された荷物に緊諦バンドを掛けを施して、荷物が移動しないようにしている。そして、フォーク挿入孔に挿通された緊諦バンドが、横方向に移動しないように、フォーク挿入孔の入口付近の上方に位置する、フォーク挿入方向に直交するリブに、緊諦バンドが挿入可能な切り欠き凹部を形成し、該切り欠き凹部に、フォーク挿入孔に挿通された緊諦バンドを挿入して、緊諦バンドの横方向への移動を抑制するようにした合成樹脂製パレットが知られている（例えば、特許第２８８９５０６号公報等）。
【０００３】
【発明が解決しようとする課題】
上述した従来の合成樹脂製パレットにおいては、緊諦バンドの横方向への移動を抑制するために、フォーク挿入方向に直交するリブに、緊諦バンドが挿入可能な切り欠き凹部が形成されているために、合成樹脂製パレットのフォーク挿入孔付近の強度や剛性が低下するという問題があった。フォーク挿入孔にフォークを挿入し、荷物が載置された合成樹脂製パレットを持ち上げる際には、合成樹脂製パレットのフォーク挿入孔付近に大きな負荷がかかるので、フォーク挿入孔の入口付近の上方に位置するリブに切り欠き凹部が形成されていると、この部分における強度や剛性が低下することになり、特に大きな問題であった。
【０００４】
本発明の目的は、上述した従来の合成樹脂製パレットが有する課題を解決することにある。
【０００５】
【課題を解決するための手段】
本発明は、上述した目的を達成するために、デッキ部の下面に、フォーク挿入孔に沿った複数のフォーク挿入方向リブと該フォーク挿入方向リブと直交する複数の桁間リブとが垂設されている合成樹脂製パレットにおいて、前記デッキ部の周部に一番接近している前記桁間リブと前記デッキ部の周部との間に、前記フォーク挿入孔に沿った相対する一対のフォーク挿入方向リブが、前記デッキ部の周部に一番接近している前記桁間リブと前記デッキ部の周部とを架橋するように形成されているとともに、前記相対する一対のフォーク挿入方向リブに、前記桁間リブに切り欠き凹部を形成することなく、且つ、前記相対する一対のフォーク挿入方向リブ間に挿入された緊諦バンドを越えて、下方に延在する膨出部を形成したものである。
【０００６】
【実施例】
以下に、本発明の実施例について説明するが、本発明の趣旨を越えない限り何ら、本実施例に限定されるものではない。
【０００７】
一例として、図１に示されている合成樹脂製パレットは、荷物が載置されるデッキ部１の相対する一方の辺に沿って形成された細長の筒状の側部桁部２と、相対する側部桁部２の中間部に、側部桁部２に略平行に形成された同じく細長の筒状の中間桁部３とを有しており、側部桁部２と中間桁部３との間には、フォークリフトのフォークが挿入可能なフォーク挿入孔４が形成されている。
【０００８】
フォーク挿入孔４の上方に位置するデッキ部１の下面には、フォーク挿入孔４に沿って、複数のフォーク挿入方向リブ５が垂設されており、また、デッキ部１の下面には、フォーク挿入方向リブ５に直交するように、桁間リブ６が垂設されている。
【０００９】
デッキ部１の下面に、フォーク挿入孔４に沿って垂設されたフォーク挿入方向リブ５のうち、フォーク挿入孔４の中央部に垂設された、相対する一対のフォーク挿入方向リブ５ａには、このフォーク挿入方向リブ５ａ間に、緊諦バンドＢを配設した際に、緊諦バンドＢを越えて、下方に延在する膨出部５ａ１が形成されている。
【００１０】
上述したように、フォーク挿入孔４の中央部に垂設された、相対する一対のフォーク挿入方向リブ５ａに、下方に延在する膨出部５ａ１を形成したことにより、フォーク挿入方向リブ５ａ間に、緊諦バンドＢを配設した際には、図３及び図４に示されているように、緊諦バンドＢが、フォーク挿入方向リブ５ａの膨出部５ａ１の上方に位置するので、緊諦バンドＢの横方向への移動が抑制されることになる。
【００１１】
また、本実施例においては、従来の合成樹脂製パレットのように、フォーク挿入孔の入口付近の上方に位置するリブに切り欠き凹部を形成したものではないので、フォーク挿入孔４付近における強度や剛性が低下するようなことがなく、従って、合成樹脂製パレットの強度や剛性の低下を防止することができる。
【００１２】
上述した実施例においては、デッキ部１の周部１ａに、一番接近している桁間リブ６とデッキ部１の周部１ａとの間に架橋されたフォーク挿入方向リブ５ａに、下方に延在する膨出部５ａ１を形成した例が示されているが、他のフォーク挿入方向リブ５に、下方に延在する膨出部５ａ１を形成することもできる。
【００１３】
また、上述した実施例においては、フォーク挿入孔４の中央部に垂設された、相対する一対のフォーク挿入方向リブ５ａに、膨出部５ａ１が形成された例が示されているが、フォーク挿入孔４の中央部以外に垂設された、相対する一対のフォーク挿入方向リブ５に、膨出部５ａ１を形成することもできる。
【００１４】
更に、上述した実施例には、所謂、２方差しの合成樹脂製パレットが示されているが、当然のことながら、本発明を、４方差しの合成樹脂製パレットに適用することもできる。
【００１５】
【発明の効果】
本発明は、以上説明した構成を有しているので、以下に記載する効果を奏するものである。
【００１６】
フォーク挿入孔付近における強度や剛性が低下するようなことがなく、従って、合成樹脂製パレットの強度や剛性の低下を防止することができる。
【図面の簡単な説明】
【図１】図１は本発明の合成樹脂製パレットの斜視図である。
【図２】図２は図１に示されている合成樹脂製パレットのフォーク挿入孔の入口付近の部分拡大斜視図である。
【図３】図３は同じく図１に示されている合成樹脂製パレットのフォーク挿入孔の入口付近の部分拡大斜視図である。
【図４】図４は図１に示されている合成樹脂製パレットのフォーク挿入孔に沿ったフォーク挿入孔の入口付近の部分垂直断面図である。
【符号の説明】
Ｂ・・・・・・・・バンド
１・・・・・・・・デッキ部
２・・・・・・・・側部桁部
３・・・・・・・・中間桁部
４・・・・・・・・フォーク挿入孔
５・・・・・・・・フォーク挿入方向リブ
６・・・・・・・・桁間リブ
【図１】
0004031931.tif 000002
【図２】
0004031931.tif 000003
【図３】
0004031931.tif 000004
【図４】
0004031931.tif 000005